(57)【要約】本発明の改良されたエーロゾル弁１０はガスケット付きの一体の弁棒／弁体１４を備える。エーロゾル弁１０では弁棒オリフィス２４は、下部弧状部分４０及び上部テーパ付き肩部部分４４を持つガスケット受入れみぞ２２内で弁体２０の上面に隣接して弁棒の部分１６に配置してある。
2004515334.tif 000002
【特許請求の範囲】
【請求項１】
一体の中空弁棒と、上面を持つ弁体とを囲む弁ハウジングを固定するための台部分を持つ取付けカップを備え、前記弁棒／弁体を前記弁ハウジング内で上下方向に往復動できるようにし、前記弁棒に、ガスケット受入れみぞを設け、このガスケット受入れみぞが、その内壁を貫いて半径方向に延び、前記中空弁棒内の導管に連通する弁棒オリフィスを備えたエーロゾル弁であって、前記弁棒のみぞ内に配置され、前記エーロゾル弁が閉鎖位置に在るときに、前記弁棒オリフィスを密封する密封ガスケットを設けて成るエーロゾル弁において、上部末端が上部テーパ付き部分に合体する弧状部分を持つみぞを設けた弁棒を備えさらにこの弁棒の前記ガスケット受入れみぞの下部末端を前記弁体の上面に隣接させたことを特徴とするエーロゾル弁。
【請求項２】
さらに、前記弁棒の前記ガスケット受入れみぞの上部テーパ付き部分が、約１５°ないし約４５°の角度を備えた請求項１のエーロゾル弁。
【請求項３】
さらに、前記ガスケット受入れみぞの前記上部テーパ付き部分が、約３０°の角度を備えた請求項２のエーロゾル弁。
【請求項４】
さらに、前記弁棒の前記のみぞの弧状部分の前記下部末端を、前記弁体の前記上面の上方約０．００４インチより大きくないようにした請求項１のエーロゾル弁。
【請求項５】
さらに、前記弁棒オリフィスが約０．００４インチないし約０．０２４インチの直径を備えた請求項１のエーロゾル弁。
【請求項６】
さらに、前記弁棒オリフィスが約０．０１３インチの直径を備えた請求項５のエーロゾル弁。
【請求項７】
さらに、前記弁棒の前記ガスケット受入れみぞの弧状部分の前記下部末端が、前記弁体の上面の上方に約０．００４インチ以上は大きくないようにした請求項２又は３のエーロゾル弁。
【請求項８】
さらに、前記弁棒の前記ガスケット受入れみぞの弧状部分の前記下部末端が、前記弁体の上面の上方に約０．００４インチ以上大きくないようにした請求項２、３、５又は６のいずれか１つのエーロゾル弁。
【請求項９】
さらに、前記ガスケット受入れみぞの前記弧状部分の上部部分が、前記ガスケット受入れみぞの前記弧状部分の下部部分より実質的に小さい曲率半径を備えた前記各請求項のいずれか１つのエーロゾル弁。
【発明の詳細な説明】
【０００１】
【産業上の利用分野】
本発明は一般に、全開位置に達するのに極めて制限された上下方向径路を持つ、加圧エーロゾル容器用の弁に関する。
【０００２】
【従来の技術】
液状又粉末状の微粒状生成物のような種種の流体材料を収容するのに、エーロゾル容器が広く使われている。典型的には生成物及び推進剤は大気圧以上で容器内に収容し、又この生成物は分与弁を手動で開き容器内の圧力によって生成物をこの弁を経て送出し導管を放出オリフィスに接続することにより容器から解放する。
【０００３】
密封ガスケットを持つ取付けカップに圧着した分与弁は通常容器の頂部穴内に取付けてある。この穴は、一般に容器穴の「ビード」と呼ばれる部品により仕切られている。取付けカップは、分与弁を保持する中央の台部分と、この台部分から外方に延びる本体部分に合体する輪郭部分とを備える。前記本体部分は、すそ部分に終る半球形のみぞ形部分に組合う。このみぞ形部分は容器穴のビード部分を受入れる形状にしてある。密封ガスケットは通常、みぞ形部分内に配置され多くのガスケット形状の場合に本体部分の一部に沿って下方に延びる。密封ガスケットを取付けカップに配置した後、このカップに位置させ、このカップを容器に圧着する。この圧着作業はエーロゾル容器業界にはよく知られている。
【０００４】
エーロゾル分与弁は一般に、一体の広い方の基部部分を持つ中空の弁棒を備える。この部分は一般に弁棒本体と呼ばれる。弁棒及び弁棒本体の中間には弁棒みぞを位置させてある。弁ハウジングは、弁棒本体を囲み取付けカップ台部分内に圧着し保持してある。弁ハウジングの底部と弁棒本体の下側との間にばねを配置してある。又多くの例では中空管（浸漬管）が弁ハウジングの外側基部から協働するエーロゾル容器の底部に延びる。
【０００５】
弁棒みぞは、弁棒みぞ壁を貫いて延び中空弁棒内の導管に連通する１個又は複数の孔又はオリフィスを持つ。弁棒を受入れる中心孔を持つ環状弁密封ガスケットは環状弁棒みぞ内に位置し、このみぞ内のオリフィスは、この弁が閉位置に在るときにガスケットによりオリフィスを密封するように位置させてある。この弁棒を上下方向に押すことによりこの弁を開くときは、弁棒はその閉じた位置から軸線方向下方に動き環状弁棒みぞ内のオリフィスをガスケットに対し整合する関係から又は密封する関係からはずす。エーロゾル容器内の生成物はこの場合、推進剤により生ずる圧力の影響のもとに浸漬管を経て上方に弁ハウジング内に、次で環状弁棒みぞ内のオリフィスを経て中空弁棒内に、そしてこの弁棒の頂部に取付けたアクチュエータ・ボタン、キャップ又は口の流出ノズルを経て進み外部に出る。
【０００６】
従来は最も一般的な上下方向に作動するエーロゾル弁は、全噴霧割合（ｆｕｌｌ  ｓｐｒａｙ  ｒａｔｅ）に達するのに０．８ｍｍないし１．０ｍｍの行程径路を持っている。
【０００７】
近年ではエーロゾル製品の市場業者と共にその消費者は、極めて短い行程後に製品を容器から送出すエーロゾル・パッケージを求めている。市場業者及び消費者は共にエーロゾル弁の作動が容易になるように短い弁開き行程を互いに等しくする。さらに従来のエーロゾル弁では作動行程は、弁棒の押下げを全押下げより低減するように制御することによって弁を部分的に開くように監視することができる。弁棒のこのような部分的押下げは全噴霧割合を妨げ望ましくない粗雑な噴霧又は滴下の生ずることが多い。
【０００８】
弁を全開するために短い行程を持つ一般用エーロゾル弁が知られている。この弁の構造は、弁体上面に中央に配置した凹入部分を持つ弁体とこの弁体内に延び底部にオリフィスみぞ孔を持つ別個に成形した弁棒とを備える。このようにして各オリフィスみぞ孔が弁棒のまわりに弁体の頂部に配置した密封ガスケットの下方に位置するようになる。弁棒を押下げるとすぐにガスケットの下側を弁体の上面から分離し、容器内の推進剤／製品がガスケットの下側と弁ハウジングの上面との間の空間を通過し弁体の凹入部分内に又弁棒の各みぞ孔内に入る。前記したエーロゾル弁の欠点は、この弁が弁体及び弁棒を組合せるのに組立て作業を必要とすることである。さらに前記したエーロゾルはまっすぐな軸状柄部分を利用する。まっすぐな軸上柄部分は周囲のガスケットにより適正に密封することが比較的困難である。前記の弁棒は側方に吹出しやすい。さらにまっすぐな軸上柄部分は、弁の閉鎖中に弁棒オリフィスの上方でガスケットの抵抗力を受けやすく、とくにエーロゾル容器内の製品／推進剤系がガスケットを実質的に膨潤させる場合に柄部分が徐徐に又は完全には閉じない。
【０００９】
本発明は、周囲のガスケットにより弁棒オリフィスを密封した一体の（ワンピース）エーロゾル弁棒／弁体を提供する。本発明の弁は、比較的短い上下方向作動行程によって全開する。
【００１０】
本発明の改良されたエーロゾル弁は、弧状の下部分と上部のテーパ付き肩部部分とを持つガスケット受入れみぞ内に弁体上面に隣接する弁棒部分に弁棒オリフィスが配置されガスケット付きの一体の弁棒及び弁体を備える。
【００１１】
【実施例】
図１はエーロゾル弁アセンブリ１０を示す。とくにエーロゾル弁アセンブリ１０は一体の弁棒／弁体１４を備える。弁棒／弁体１４は、これを貫く導管１８を持つ弁棒１６と、弁体２０と、環状のみぞ２２（図２に詳しく示してある）とを備える。みぞ２２は、みぞ部分の壁を貫き導管１８に接続する弁棒オリフィス２４を持つ。弁体２０は弁ハウジング２６により囲んである。この弁ハウジング２６は貫通導管３０を持つ延長ニップル２８を備える。ニップル２８は浸漬管２９（一部を断面にして示してある）を受入れるようにしてある。弁ハウジング２６は取付けカップ（ｍｏｕｎｔｉｎｇ  ｃｕｐ）３４（一部を断面にして示してある）の台部分（ｐｅｄｅｓｔａｌ  ｐｏｒｔｉｏｎ）３２に圧着してある。弁棒１６を囲んでみぞ２２内に環状のガスケット３６を配置してある。ガスケット３６は、この弁が閉じた位置に在るときに弁棒オリフィス２４を密封するように作用する。弁の組立てを完了するには、放出オリフィスに通ずる適当な導管を持つアクチュエータ（図示してない）を弁棒１６の頂部に配置する。
【００１２】
図２は本発明による新規な弁棒及び弁体の詳細を拡大して示す。
【００１３】
図２では弁棒１６は一体の弁体２０の頂部に配置してある。弁棒／弁体の新規な構造部材は、みぞ２２の形状とその弁体２０に対する位置とに関連する。
【００１４】
みぞ２２は、上部分４２が上方外向きに延びるテーパ付き肩部４４に終る弧状部分４０を持つ。弁棒オリフィス２４の外端はみぞ２２の弧状部分４０、最も好適には弧状部分４０の中心部を貫くのがよい。弧状部分４０の下端部４６の末端は弁体２０の上面４８のわずかに上方である。
【００１５】
弁棒のガスケット受入れみぞ２２内に上部部分を設けることは、放出噴霧の滴下を生じないで十分な速い噴霧を得るのに必要であることが分っている。完全に弧状のみぞを設けると初期の作動時に十分には開かない弁が得られ、又若干の例では放出噴霧の滴下が生じた。
【００１６】
次の寸法を持つみぞ及び弁棒オリフィスは満足できる噴霧特性を持つ迅速に開く弁を生ずることが分っている。
（ａ）上部テーパ部分＝３０°
（ｂ）上部テーパ部分長さ＝０．０２９インチ
（ｃ）上部弧状部分の半径＝０．００５インチ
下部弧状部分の半径＝０．０１０インチ
（ｄ）弧状部分の高さ＝０．０２０インチ
（ｅ）弁棒オリフィス直径＝０．０１３インチ
（ｆ）弁棒の弧状部分の下端と弁体の上面との間の空間＝０．００１インチ
【００１７】
弁棒の前記したみぞに使われるガスケットは次のパラメータを持っていた。
（ａ）ガスケット厚さ＝０．０４６インチ
（ｂ）ガスケット内径＝０．１０２インチ
【００１８】
下記の要素は前記したように寸法を変えてもよい。
（ａ）みぞの上部テーパ付き部分のテーパ角：１５°ないし４５°
（ｂ）弁棒オリフィス直径：０．０１０インチないし０．０２４インチ
（ｃ）ガスケット厚さ：０．０４０インチないし０．０６０インチ
【００１９】
前記した本発明が前記の目的を達成できるのは明らかであるが、本発明はなおその精神を逸脱しないで種種の変化変型を行うことができるのは明らかである。
【図面の簡単な説明】
【図１】
本発明の弁棒及び弁体を備えたエーロゾル弁の１実施例の横断面図である。
【図２】
図１に示した弁棒及び弁体の拡大軸断面図である。
【符号の説明】
１０      エーロゾル弁
１４      取付けカップ
１６      弁棒
１８      導管
２０      弁体
２２      ガスケット受入れみぞ
２４      弁棒オリフィス
２６      弁ハウジング
３６      密封ガスケット
４０      弧状部分
４６      下端
４８      上面
【国際公開パンフレット】
2004515334.tif 000003
2004515334.tif 000004
2004515334.tif 000005
2004515334.tif 000006
2004515334.tif 000007
2004515334.tif 000008
2004515334.tif 000009
2004515334.tif 000010
2004515334.tif 000011
2004515334.tif 000012
2004515334.tif 000013
2004515334.tif 000014
【国際調査報告】
2004515334.tif 000015